(57)【要約】      （修正有）【課題】一つの工具の駆動により、狭い空間に位置するボルトなどを回転できるスパナを提供する。【解決手段】回転具１１と、第１工作具１２と、第２工作具１３と、第１連動具１４と、第２連動具１５とより成る。回転具１１は上駆動部と、下駆動部と、を含み、第１工作具１２はヘッド部１２１を有し、第２工作具１３はヘッド部１３１を有し、第１連動具１４は第１工作具１２と上駆動部の間に設けられる。さらに、第２連動具１５は第２工作具１３と下駆動部の間に設けられる連動装置と、収容空間を構成し、連動装置を収容するケースとを含み、ケースは第１段２２と、第２段２３と、中央段と、を含み、中央段は第１端２４１と、第２端２４２と、を有する。また、第１端２４１は上に延びて第１段２２と連接し、第２端２４２は下に延びて第２段２３と連接し、第１段２２、第２段２３と中央段により階段部が形成される。【選択図】図３
0003171176.tif 000002
【実用新案登録請求の範囲】
【請求項１】
回転具と、第１工作具と、第２工作具と、第１連動具と、第２連動具と、を含み、
前記回転具は、上駆動部と、下駆動部と、を含み、
前記第１工作具は少なくとも一つのヘッド部を有し、
前記第２工作具は少なくとも一つのヘッド部を有し、前記第１連動具は前記第１工作具と前記上駆動部の間に設けられ、
前記第２連動具は前記第２工作具と前記下駆動部の間に設けられる連動装置と、収容空間を構成するとともに、前記連動装置を収容するケースと、を含み、
前記ケースは、第１段と、第２段と、中央段と、を含み、前記中央段は、第１端と、第２端と、を有し、前記第１端は上に延びて前記第１段と連接し、前記第２端は下に延びて前記第２段と連接し、前記第１段、前記第２段と前記中央段により階段部が形成され、
前記第１段に貫通孔が設けられ、前記第１段の内部に第１工作具が設けられ、前記第１工作具の前記ヘッド部が前記貫通孔から外部に露呈し、前記第２段に穿孔が設けられ、前記第２段の内部に第２工作具が設けられ、前記第２工作具の前記ヘッド部が前記穿孔から外部に露呈することを特徴とするスパナ。
【請求項２】
前記中央段は二つの側面を含み、前記各側面に溝が複数設けられることを特徴とする、請求項１に記載のスパナ。
【請求項３】
前記中央段は、上面と、底面と、を含み、前記上面に貫通孔が設けられ、前記底面に貫通孔も設けられ、前記回転具は二つのヘッド部を含み、前記連動具が前記中央段に設けられ、前記二つのヘッド部はそれぞれ前記貫通孔のうちの一つに位置することを特徴とする、請求項１に記載のスパナ。
【請求項４】
更に、複数の軸受を含み、これらの前記軸受はそれぞれ前記ヘッド部に嵌め設けられることを特徴とする、請求項１から請求項３の何れか１項に記載のスパナ。
【請求項５】
前記第１工作具はスプロケットを含み、前記第２工作具はスプロケットを含み、前記上駆動部はスプロケットを含み、前記下駆動部はスプロケットを含み、前記第１連動具と前記第２連動具とはローラチェーンであり、前記第１連動具は前記第１工作具の前記スプロケットと前記上駆動部の前記スプロケットの間に設けられ、前記第２連動具は前記第２工作具の前記スプロケットと前記下駆動部の前記スプロケットの間に設けられることを特徴とする、請求項１から請求項３の何れか１項に記載のスパナ。
【考案の詳細な説明】
【技術分野】
【０００１】
本考案は、スパナに関し、特に、一つの工具の駆動により、狭い空間に位置するボルトなどを回転できるスパナに関するものである。
【背景技術】
【０００２】
従来のスパナ（例えば特許文献１、特許文献２、特許文献３、特許文献４など）は、各種類の伝動機構を利用することにより、一つの工具による駆動によって狭い空間に位置するボルトなどを回転できる。具体的には、これらの従来のスパナは、一つの伝動機構を利用することにより、一端の工作具を駆動すると他端の工作具が駆動されて回転する。
【０００３】
上記のスパナは、フラットで直線状を呈するが、ある特殊で狭い空間で利用される場合には、空間の制限によりユーザは前記スパナを容易に握ることができない。そうすると、ユーザは、一端にある工作具に力を集中して駆動することにより、他端にある工作具を回転することができず、更に、前記スパナを安定に握ることができないため、前記スパナが狭い空間又は地面に墜落する可能性がある。
【０００４】
上記の問題を解決するために、スパナを段階状にすることが必要であるが、二つの工作具は伝動機構により連動関係を保持するため、スパナを段階状にすると、二つの工作具及び伝動機構が収容され可能にするために、スパナのケースの体積を増加しなければならない。しかし、スパナのケースの体積を増加すると、このようなスパナは狭い空間に挿入して利用することができない。
【０００５】
一方、上記のスパナは、伝動機構が一つだけを有するため、二つの工作具がスパナの縦方向の両端に設けられ、そのうちの何れかの工作具にある貫通孔が場所の制限によって遮蔽されると、前記スパナは正常に利用できなくなるという問題があった。
【先行技術文献】
【特許文献】
【０００６】
【特許文献１】米国特許第５５４０１２２号公報
【特許文献２】米国特許第４８６７０１６号公報
【特許文献３】米国特許第４４９１０４２号公報
【特許文献４】米国特許公開第２００４００９３９９０号公報
【考案の概要】
【考案が解決しようとする課題】
【０００７】
本考案の主な目的は、一つの工具による駆動により、狭い空間に位置するボルトなどを回転できるスパナを提供することにある。
【課題を解決するための手段】
【０００８】
本考案のスパナによると、回転具と、第１工作具と、第２工作具と、第１連動具と、第２連動具と、を含み、回転具は、上駆動部と、下駆動部と、を含み、第１工作具は少なくとも一つのヘッド部を有し、第２工作具は少なくとも一つのヘッド部を有し、第１連動具は第１工作具と上駆動部の間に設けられ、第２連動具は第２工作具と下駆動部の間に設けられる連動装置と、収容空間を構成し、連動装置を収容するケースと、を含み、ケースは、第１段と、第２段と、中央段と、を含み、中央段は、第１端と、第２端と、を有し、第１端は上に延びて第１段と連接し、第２端は下に延びて第２段と連接し、第１段、第２段と中央段により階段部が形成され、第１段に貫通孔が設けられ、第１段の内部に第１工作具が設けられ、第１工作具のヘッド部が貫通孔から外部に露呈し、第２段に穿孔が設けられ、第２段の内部に第２工作具が設けられ、第２工作具のヘッド部が穿孔から外部に露呈することを特徴とする。
【０００９】
本考案のスパナによると、中央段は二つの側面を含み、各側面に溝が複数設けられることを特徴とする。
【００１０】
本考案のスパナによると、中央段は、上面と、底面と、を含み、上面に貫通孔が設けられ、底面に貫通孔も設けられ、回転具は二つのヘッド部を含み、連動具が中央段に設けられ、二つのヘッド部はそれぞれ貫通孔のうちの一つに位置することを特徴とする。
【００１１】
本考案のスパナによると、更に、複数の軸受を含み、これらの軸受はそれぞれヘッド部に嵌め設けられることを特徴とする。
【００１２】
本考案のスパナによると、第１工作具はスプロケットを含み、第２工作具はスプロケットを含み、上駆動部はスプロケットを含み、下駆動部はスプロケットを含み、第１連動具と第２連動具とはローラチェーンであり、第１連動具は第１工作具のスプロケットと上駆動部のスプロケットの間に設けられ、第２連動具は第２工作具のスプロケットと下駆動部のスプロケットの間に設けられることを特徴とする。
【考案の効果】
【００１３】
本考案のスパナによれば、一つの工具による駆動により、狭い空間に位置するボルトなどを回転できる効果を有する。
【図面の簡単な説明】
【００１４】
【図１】本考案の実施例１の組合済み状態を示す斜視図である。
【図２】本考案の実施例１を示す分解斜視図である。
【図３】本考案の実施例１の側面から見た透視図である。
【図４】本考案の実施例１の上面から見た透視図である。
【図５】本考案の実施例１の使用状態を示す模式図である。
【図６】本考案の実施例２を示す分解斜視図である。
【図７】本考案の実施例３を示す分解斜視図である。
【図８】本考案の実施例４の組合済み状態を示す斜視図である。
【図９】本考案の実施例４の使用状態を示す模式図である。
【考案を実施するための形態】
【００１５】
以下、本考案の実施の形態を図面に基づいて説明する。
まず、図１乃至図５を参照する。本実施例のスパナは、連動装置と、ケースと、を含む。
【００１６】
前記連動装置は、回転具１１と、第１工作具１２と、第２工作具１３と、第１連動具１４と、第２連動具１５と、を含む。回転具１１は、上駆動部１１１と、下駆動部１１２と、を含む。第１工作具１２は少なくとも一つのヘッド部１２１を有する。第２工作具１３は少なくとも一つのヘッド部１３１を有する。ヘッド部１２１、１３１には、図５に示すように、ソケットＡ又は工具ヘッドを挿入することができる。第１連動具１４は第１工作具１２と上駆動部１１１の間に設けられる。第２連動具１５は第２工作具１３と下駆動部１１２の間に設けられる。第１工作具１２はスプロケット１２２を含み、第２工作具１３はスプロケット１３２を含み、上駆動部１１１はスプロケットを含み、下駆動部１１２はスプロケットを含み、第１連動具１４は第１工作具１２のスプロケット１２２と上駆動部１１１の前記スプロケットの間に設けられ、第２連動具１５は第２工作具１３のスプロケット１３２と下駆動部１１２の前記スプロケットの間に設けられることが好ましい。本実施例では、第１連動具１４と第２連動具１５とはローラチェーンである。これにより、第１連動具１４が第１工作具１２のスプロケット１２２及び上駆動部１１１の前記スプロケットと噛合い、第２連動具１５が第２工作具１３のスプロケット１３２及び下駆動部１１２の前記スプロケットと噛合う。実施例２では、図６に示すように、第１連動具１４と第２連動具１５とは、前記スプロケットと噛合い可能なタイミングベルトである。実施例３では、図７に示すように、第１連動具１４と第２連動具１５とはベルトである。そうすると、第１工作具１２、第２工作具１３、上駆動部１１１及び下駆動部１１２がスプロケットではなくても、実施例１及び実施例２と同じ効果を達成できる。
【００１７】
前記ケースは、図１乃至図５に示すように、収容空間２１を構成し、前記連動装置を収容する。前記ケースは、第１段２２と、第２段２３と、中央段２４と、を含む。前記中央段２４は、第１端２４１と、第２端２４２と、二つの側面２４３と、上面２４４と、底面２４５と、を含む。第１端２４１は上に延びて第１段２２と連接する。第２端２４２は下に延びて第２段２３と連接する。第１段２２、第２段２３と前記中央段により階段部が形成される。第１段２２に貫通孔２２１が設けられ、第１段２２の内部に第１工作具１２が設けられる。第１工作具１２のヘッド部１２１が貫通孔２２１から外部に露呈する。第２段２３に穿孔２３１が設けられ、第２段２３の内部に第２工作具１３が設けられ、第２工作具１３のヘッド部１３１が穿孔２３１から外部に露呈する。
【００１８】
図５を参照する。ユーザは本考案のスパナによりボルトを緩めたい場合には、工具によって第２工作具１３を回転すると、第２連動具１５、回転具１１、第１連動具１４及び第１工作具１２が同時に回転する。第１工作具１２にソケットＡが挿入されており、ソケットＡがボルトと嵌合するため、第１工作具１２を回転することにより、ソケットＡと嵌合する前記ボルトをねじ込み、又は緩めることができる。
【００１９】
本考案のスパナは階段状に設計されるため、狭い空間において、ユーザの手が本考案のスパナを安定に握ることができ、これにより、本考案のスパナはユーザの手から脱出することがない。前記中央段の側面２４３、２４３に溝２４６が複数設けられることが好ましい。これらの溝２４６により、ユーザの指は本考案のスパナを安定に握ることができる。これらの溝２４６は、側面２４３、２４３に一定距離を置いて設けられることが好ましい。これにより、ユーザの本考案のスパナに対する握りが更に安定となり、本考案のスパナの外観が流線形となる。
【００２０】
また、前記連動装置には、回転具１１、第１連動具１４及び第２連動具１５が設けられるため、本考案は一般的な寸法を有する第１工作具及び第２工作具を使用できる。これにより、組み付けられた本考案のスパナは、全体の体積が大きくならず、前記連動装置の連動効果が良く保持される。
【００２１】
本考案のスパナを狭い空間で利用できるために、第１段２２に貫通孔２２１、２２１が設けられ、第２段２３に穿孔２３１、２３１が設けられる。具体的には、貫通孔２２１、２２１がそれぞれ第１段２２の上面と底面とに位置し、穿孔２３１、２３１がそれぞれ第２段２２の上面と底面とに位置する。図３に示すように、第１工作具１２はヘッド部１２１、１２１を含む。ヘッド部１２１、１２１はそれぞれ第１段２２の貫通孔２２１、２２１に位置する。第２工作具１３はヘッド部１３１、１３１を含む。ヘッド部１３１、１３１はそれぞれ第２段２３の穿孔２３１、２３１に位置する。ユーザは、状況を見て貫通孔２２１のヘッド部１２１、又は穿孔２３１のヘッド部１３１をボルトなどと嵌合することができる。
【００２２】
図８及び図９を参照する。図８及び図９に示すのは本考案の実施例４のスパナである。実施例４のスパナの実施例１のスパナと異なる点は、中央段の上面２４４に貫通孔が設けられ、前記中央段の底面に別の貫通孔が設けられ、回転具はヘッド部１１３、１１３を含み、連動具１１が前記中央段に設けられ、ヘッド部１１３、１１３がそれぞれ前記二つの貫通孔に位置することにある。換言すると、前記回転具は、第１工作具と第２工作具との回転の中継子とすることができる他、工作具として利用することもできる。場所の制限で第１工作具１２又は第２工作具１３が遮蔽されてボルトなどを緩め、又はねじ込むことができない場合には、前記回転具のヘッド部に工具を挿入して回転すると、ボルトなどを緩め、又はねじ込むことができる。
【００２３】
特に、第１工作具１２と第２工作具１３との回転をスムーズにし、磨耗を減少するために、これらのヘッド部に軸受３を設けることができる。そうすると、第１工作具１２、第２工作具１３とヘッド部を有する回転具の回転がスムーズとなり、本考案のスパナの寿命を長く延びることができる。
【００２４】
このように、本考案が、特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００２５】
本考案は、スパナに適用することができる。
【符号の説明】
【００２６】
３：軸受
１１：回転具
１２：第１工作具
１３：第２工作具
１４：第１連動具
１５：第２連動具
２１：収容空間
２２：第１段
２３：第２段
２４：中央段
１１１：上駆動部
１１２：下駆動部
１１３：ヘッド部
１２１：ヘッド部
１２２：スプロケット
１３１：ヘッド部
１３２：スプロケット
２２１：貫通孔
２３１：穿孔
２４１：第１端
２４２：第２端
２４３：側面
２４４：上面
２４５：底面
２４６：溝
Ａ：ソケット
【図１】
0003171176.tif 000003
【図２】
0003171176.tif 000004
【図３】
0003171176.tif 000005
【図４】
0003171176.tif 000006
【図５】
0003171176.tif 000007
【図６】
0003171176.tif 000008
【図７】
0003171176.tif 000009
【図８】
0003171176.tif 000010
【図９】
0003171176.tif 000011